(57)【要約】【課題】光学ファインダーにては被写体が観察不可能なような状態のときには、連続画像表示指示手段により連続画像表示指示をすることによって、撮像手段にて撮像した被写体像を表示手段に連続的に表示する。【解決手段】連続画像を表示手段に表示させる状態を指示する連続画像表示指示手段を備え、連続画像表示が指示されたら（Ｓ２）、第１及び第２のミラーを撮影光束から退避させ、シャッタ手段を開放させ（Ｓ５）、撮影レンズで集光される撮影光束を撮像手段に導くとともに、被写体像を撮像手段で連続的に取り込み（Ｓ６）、取り込んだ信号により撮像面でのオートフォーカス制御及び測光制御を行う（Ｓ７）ことで連続的に取り込み続け、表示手段に連続的に取り込んだ被写体像を表示させる（Ｓ８）。【選択図】図４
2005175906.tif 000002
【特許請求の範囲】
【請求項１】
撮影前には撮影レンズで集光される撮影光束を光学ファインダー方向に反射させ、撮影時には撮影光束より退避する第１のミラーと、撮影前には前記第1のミラーを透過した撮影光束を反射し、撮影時には前記第１のミラーとともに撮影光束より待避する第２のミラーと、撮影前には前記第２のミラーにて反射された撮影光束を受光するオートフォーカス手段と、撮影前には前記第１のミラーでファインダー方向に導かれた撮影光束の一部を受光する測光手段と、撮影時に撮像手段の露光時間を制御するシャッタ手段と、撮影した画像を確認するための表示手段とを有するカメラにおいて、連続画像を前記表示手段に表示させる状態を指示する連続画像表示指示手段を備え、連続画像表示が指示されたら、前記第１及び第２のミラーを撮影光束から退避させ、前記シャッタ手段を開放させ、前記撮影レンズで集光される撮影光束を前記撮像手段に導くとともに、被写体像を前記撮像手段で連続的に取り込み、取り込んだ信号により撮像面でのオートフォーカス制御及び測光制御を行うことで、画像を連続的に取り込み続け、前記表示手段に連続的に取り込んだ被写体像を表示させることを特徴とするカメラ。
【請求項２】
前記連続画像表示指示手段により連続画像表示が指示されている場合には、撮影の指示がされたら、前記第１及び第２のミラーを撮影光束から退避する前の初期位置に復帰させるとともに、前記オートフォーカス手段及び前記測光手段によるオートフォーカス動作及び測光動作をやり直し、撮影を行うことを特徴とする請求項１に記載のカメラ。
【請求項３】
前記連続画像表示指示手段により連続画像表示が指示されている場合には、撮影の指示がされたら、撮影指示時点で前記表示手段に表示されている画像を撮影画像とすることを特徴とする請求項１に記載のカメラ。
【請求項４】
前記連続画像表示指示手段により連続画像表示が指示されている場合には、撮影の指示がされたら、前記第１及び第２のミラーを撮影光束から退避する前の初期位置に復帰させ、前記シャッタ手段を遮光状態にした後に、前記撮像手段に蓄積された電荷をクリアし、前記撮像手段をノイズの無い状態としてから、撮影を行うことを特徴とする請求項１に記載のカメラ。
【請求項５】
前記連続画像表示指示手段による連続画像表示指示がなされていない場合の撮影時には、露光時間の制御を機械的シャッタ手段で行い、前記連続画像表示指示手段により連続画像表示が指示されている場合には、前記撮像手段の電子シャッタ機能にて露光時間の制御を行うことを特徴とする請求項３に記載のカメラ。
【発明の詳細な説明】
【技術分野】
【０００１】
本発明は、画像確認用の表示手段をファインダー代わりに用いるカメラに関するものである。
【背景技術】
【０００２】
従来のデジタル一眼レフカメラは、ファインダー観察時は撮影レンズで集光された撮影光束をピント板に反射して導き、それを光学ファインダーにより被写体像として観察可能とし、撮影時には退避して撮影光束が撮像装置方向に向かうのを阻害しない位置に移動可能な第１のミラーと、ファインダー観察時には第１のミラーを透過した光束の一部を反射してオートフォーカス装置に導き、オートフォーカス装置にてピント位置の検出を可能とするとともに、撮影時には第１のミラーとともに撮影光束が撮像装置方向に向かうのを阻害しない位置に移動可能な第２のミラーと、撮影時に撮像装置に到達する光束の露光時間を制御するシャッタ装置と、ファインダー観察時に第１のミラーにてピント板に投影された光束を受光する測光装置と、撮影前に第２のミラーにて導かれた撮影光束の一部を受光するオートフォーカス装置と、撮影後の画像を確認するための表示装置とを有するものが普通である。
【０００３】
しかし、この種のデジタル一眼レフカメラは、上記の構成であるために、撮影前の被写体像観察時に撮像装置にはレンズを透過した光束は到達せず、一般のデジタルカメラのように撮影前に撮像装置にて取り込んだ連続画像を表示装置にて観察することは不可能であり、被写体像の観察には上記のとおり光学ファインダーで観察することが不可欠であるが、光学ファインダーを見ることが不可能なような状況では、表示装置で撮影前の被写体像を観察するような、いわゆるファインダー代わりに使用することは不可能であった。
【０００４】
従来、特開平１１−２９５８１０号公報のように、ファインダーに光束を導くクイックリターンミラーに半透過部を形成し、常時撮像素子に撮影光束が到達するデジタルカメラも提案されており、このタイプならば常時撮像面に撮影光束が到達するので、観察時に常時被写体を撮像素子にて撮像し、表示装置に撮像した画像を表示することが可能で、光学ファインダーが観察できないような状況でも表示装置にファインダー画像を表示することが可能である。
【０００５】
また、特開２０００−１６５７０９号公報には、半透過からなる回動可能なミラーと、フィルムと、撮像装置と、光学ファインダーとに選択的に撮影光束を導くことが可能なデジタルカメラが提案されていて、ミラーの位置によって撮像素子へ撮影光束を導くことが可能で、撮像素子で撮像した画像を表示装置に表示することが可能なデジタルカメラが実現されている。
【特許文献１】特開平１１−２９５８１０号公報
【特許文献２】特開２０００−１６５７０９号公報
【発明の開示】
【発明が解決しようとする課題】
【０００６】
上記特許文献１に示されるような構成では、オートフォーカスは撮像面で行わなければならないが、大きくピントが外れているときの検出能力、いわゆるプレディクション能力が専用のオートフォーカス装置を持つタイプに比べ大幅に劣り、大きくピントが外れているときにピントが合うまでの時間が大幅に増してしまう欠点が存在した。また、動きを伴う被写体等に対しても、撮像面オートフォーカスは検出能力が専用のオートフォーカス装置に比べ大幅に劣り、それを補うための専用のオートフォーカス装置を設けることも、この構成では第２のミラーを持つことが出来ないので、不可能である。
【０００７】
上記特許文献２においても、専用のオートフォーカス装置に光を導く第２のミラーを配置しようとすると、フィルムへの光束を阻害してしまい、また、ミラーの回動に伴う第２のミラーの実現が不可能で、専用のオートフォーカス装置を実装することは不可能であり、このままの構成でオートフォーカスを実行しようとすると、撮影光束を撮像素子に導く位置にミラーを回動させれば撮像面オートフォーカスを行うことが出来るが、撮像面オートフォーカスでは特許文献１と同様な欠点が存在するとともに、オートフォーカス動作をしているときにはファインダー装置には光束が到達せず、光学ファインダーによる観察時、オートフォーカスを行うことは不可能である。
【課題を解決するための手段】
【０００８】
上記課題を解決するために、本発明は、撮影前には撮影レンズで集光される撮影光束を光学ファインダー方向に反射させ、撮影時には撮影光束より退避する第１のミラーと、撮影前には前記第1のミラーを透過した撮影光束を反射し、撮影時には前記第１のミラーとともに撮影光束より待避する第２のミラーと、撮影前には前記第２のミラーにて反射された撮影光束を受光するオートフォーカス手段と、撮影前には前記第１のミラーでファインダー方向に導かれた撮影光束の一部を受光する測光手段と、撮影時に撮像手段の露光時間を制御するシャッタ手段と、撮影した画像を確認するための表示手段とを有するカメラにおいて、連続画像を前記表示手段に表示させる状態を指示する連続画像表示指示手段を備え、連続画像表示が指示されたら、前記第１及び第２のミラーを撮影光束から退避させ、前記シャッタ手段を開放させ、前記撮影レンズで集光される撮影光束を前記撮像手段に導くとともに、被写体像を前記撮像手段で連続的に取り込み、取り込んだ信号により撮像面でのオートフォーカス制御及び測光制御を行うことで、画像を連続的に取り込み続け、前記表示手段に連続的に取り込んだ被写体像を表示させるカメラとするものである。
【発明の効果】
【０００９】
本発明によれば、連続画像表示指示手段による連続画像表示指示がなされていない場合の撮影時には、光学ファインダーで被写体を観察しながら、オートフォーカス動作を専用のオートフォーカス手段にてプレディクション能力や動きの早い被写体にも対応することができ、光学ファインダーにては被写体が観察不可能なような状態のときには、連続画像表示指示手段により連続画像表示指示をすることによって、撮像手段にて撮像した被写体像を表示手段に連続的に表示することができる。
【発明を実施するための最良の形態】
【００１０】
本発明を実施するための最良の形態は、後述する実施例１〜３に記載の通りである。
【実施例１】
【００１１】
図１乃至図４は本発明の実施例１であるデジタル一眼レフカメラを示すもので、図１はカメラの観察状態を示す断面図、図２は連続画像を表示している状態を示す断面図、図３は背面図、図４はカメラの動作を表すフローチャートである。
【００１２】
図中、１はデジタルカメラの本体、２は半透過ミラーで形成され、撮影レンズの光束をピント板９の方向に反射するとともに透過もする第１のミラー（メインミラー）で、撮影時には撮影光束から退避するよう本体１に回動可能に支持されている。３は第１のミラー２を透過した撮影光束をオートフォーカス装置４方向に反射する第２のミラー（サブミラー）で、第１のミラー２に回動可能に支持され、撮影時には第１のミラー２とともに撮影光束から退避をする。４は第２のミラー３により導かれた光束を受光し、ピント状態を評価、判定するためのオートフォーカス装置、５は撮影時の露光時間を制御するシャッタ装置で、先幕５ａと後幕５ｂを持つ。
【００１３】
６は複屈折の光学部材からなるローパスフィルター、７は撮影光束を撮り込み、光電変換する撮像装置で、撮像素子７ａ、カバーガラス７ｂ、電気的なリード７ｃを持つ。
【００１４】
８は撮像装置７のリード７ｃを半田等で固定し、電気的に信号を伝達する基板装置、９は第１のミラー２で反射された撮影光束を観察するためのピント板、１０はピント板９に投影された撮影像をファインダー方向に正立像として導くペンタプリズム、１１，１２はペンタプリズム１０で導かれたピント板９に結像されたファインダー像を撮影者に視認可能とするためのファインダー光学装置、１３はピント板９に結像されたファインダー像の一部を受光して、露光量の算出を行うためのＡＥセンサー１４に集光するＡＥレンズ、１４は露光量を決定するためのＡＥセンサーである。
【００１５】
１５はレンズ装置１６を着脱可能に固定するマウント、１６は被写体像を集光するレンズ装置、２０は液晶等の表示装置で、撮影済の画像を表示したり、連続的な画像の表示を行う。２１は撮影者の操作により表示装置２０への連続的な画像の表示を指示する連続画像表示指示装置、２２はファインダー光学装置１１，１２にて導かれた被写体像を観察するためのファインダー部である。
【００１６】
以上の構成であるデジタル一眼レフカメラの動作（つまり制御手段であるマイクロコンピュータの動作）を図４のフローチャートに従い説明する。
【００１７】
カメラの電源が投入され、カメラの動作が開始される（Ｓ１）と、ステップＳ２においてはカメラの連続画像表示指示装置２１により連続画像表示が指示されているがどうかを判断する。連続画像表示指示がなされていないときは、通常のデジタル一眼レフカメラのシーケンスが選択された状態で、ステップＳ２０に移行する。このとき、カメラは図１の状態である。
【００１８】
ステップＳ２０では、図示しないレリーズ装置の撮影準備スイッチＳＷ１がオンしているかどうかを判定し、撮影準備スイッチＳＷ１がオンされるのを待つ。ステップＳ２０で撮影準備スイッチＳＷ１がオンされると、カメラは測光（ＡＥ）動作及びオートフォーカス（ＡＦ）動作へと移行する（Ｓ２１）。このときカメラは図１の状態で、レンズ装置１６で集光された光束は第１のミラー２を透過し、第２のミラー３で反射した成分がオートフォーカス装置４に導かれ、オートフォーカス装置４ではレンズ装置１６でのピント状態を検出し、カメラの制御手段はその結果を評価、判定し、オートフォーカス用レンズ群を合焦へ向けて動かす様に指示を出し、合焦状態が確認されたら、オートフォーカス（ＡＦ）動作を終了する。また、このとき、被写体が動体であるときには動体予測制御を行う。この様に、本実施例のデジタル一眼レフカメラにおいては、専用のオートフォーカス装置４にて、従来の一眼レフカメラと同様の制御を出来るので、大デフォーカス時や、動体を撮影するときでも、すばやく正確なオートフォーカス制御が可能である。
【００１９】
このとき、第１のミラー２で反射された光束はピント板９に集光され、ＡＥセンサー１４へもピント板９に集光された光束が導かれる。ＡＥセンサー１４は被写体の光量を測定し、カメラの制御手段はその測定結果を評価し、露光量を決定し、ＡＥ（測光）動作を終了する。
【００２０】
以上のＡＦ動作及びＡＥ動作が終了したら、カメラは図示しないレリーズ装置のレリーズスイッチＳＷ２がオンにされるのを待つ（Ｓ２２）。ステップＳ２１にて、レリーズスイッチＳＷ２がオンされたら、カメラはレリーズ動作に入り、まず、図示しないレンズ装置１６内の絞り装置を所定の位置へ移動し、また、第１のミラー２、第２のミラー３を撮影光束から退避させる（Ｓ２３）。第１のミラー２と第２のミラー３の撮影光束からの退避が終了したら、撮像を開始し（Ｓ２４）、撮像装置７はいつでも撮影できるよう準備を完了する。
【００２１】
次に、シャッタ装置５は先幕５ａを走行させる（Ｓ２５）ことで、レンズ装置１６で結像した光束の撮像装置７への露光を開始し、ステップＳ２１にて決定されたＡＥの制御値に基づき所定のタイミングで後幕５ｂを走行させ、露光時間を終了する。
【００２２】
シャッタ装置５の走行が終了すると、撮像装置７の撮影は終了する（Ｓ２６）。撮影が終了したら、カメラは撮像装置７が上記露光量に基づき光電変換した画像信号を読み出す（Ｓ２８）。読み出された画像信号は画像処理がなされ（Ｓ２９）、画像処理された信号は図示しない記録装置に記録される（Ｓ３０）。
【００２３】
ステップＳ２０からステップＳ３０は通常のデジタル一眼レフと同様なシーケンスで、通常はこの様に撮影が行われる。
【００２４】
次に連続画像表示のシーケンスについて説明する。
【００２５】
ステップＳ２で連続画像表示が指示されたら、通常撮影シーケンスと同様にオートフォーカス装置４の検出結果とＡＥセンサー１４の測定結果によりカメラの制御手段はオートフォーカス動作と測光動作を行う（Ｓ３）。
【００２６】
オートフォーカス動作と測光動作が終了したら、図示しないレンズ装置１６の絞り装置を絞り込む（Ｓ４）。絞り込み動作が終了したら、第１と第２のミラー２，３は撮影光束から退避した位置に移動し、シャッタ装置５の先幕５ａは走行し、アパーチャを開口し（Ｓ５）、レンズ装置１６で集光された光束が撮像装置７に到達する。
【００２７】
図２はステップＳ５での動作状態を表す。
【００２８】
撮像装置７に撮影光束が到達したら、撮像装置７は連続的に撮像を開始する（Ｓ６）。このとき、シャッタ装置５は開放されたままなので、露光時間の制御は撮像装置７の電子シャッタ機能にて行われる。撮像装置７にて連続的に撮像された被写体像は、順次画像処理をされ、カメラの表示装置２０により表示が行われる（Ｓ８）。
【００２９】
すなわち、このとき、表示装置２０はファインダーとしての機能として働き出す。このときファインダー部２２を覗くことが不可能でも、撮影者は表示装置２０に表示される連続的な画像を観察しながら構図を決定したり、撮影するタイミングを計ったりすることが可能となる。
【００３０】
また、ステップＳ５で第１、第２のミラー２，３が撮影光束から待避した時点で、オートフォーカス装置４とＡＥセンサー１４には撮影光束が到達していないので、通常のＡＦ動作、ＡＥ動作は不可能となっている。そこで、連続的な画像の表示を開始したら、撮像装置７で撮像された画像を評価し、撮像面でのＡＦ動作、ＡＥ動作を開始する。撮像面でのＡＦ動作、ＡＥ動作については従来よりいろいろな技術が存在するので、ここでは記述しない（Ｓ７）。
【００３１】
撮影者は表示装置２０に表示された連続的な画像表示を観察しながら、撮影するタイミングを計り、レリーズスイッチＳＷ２をオンすると（Ｓ９）、まずシャッタ装置５の後幕５ｂを走行させたのち、第１、第２のミラー２，３を観察位置に復帰させる。また、このとき、シャッタ装置５の再チャージも同時に行っておく（Ｓ１０）。
【００３２】
この時、図示しないレンズ装置１６の絞り装置も開放状態へと戻しておく（Ｓ１１）。
【００３３】
次にカメラは本撮影のためのＡＦ動作と、ＡＥ動作（ステップＳ３と同様のもの）を行う（Ｓ１２）。カメラは図１に示す状態に復帰しているので、オートフォーカス装置４には第２のミラー３により反射された撮影光束が入射しており、また、ＡＥセンサー１４にも第１のミラー２により反射されてピント板９に結像した被写体像の光線が入射しており、それぞれ撮影直前のＡＦ動作とＡＥ動作をやり直す（Ｓ１２）。
【００３４】
ＡＥセンサー１４の測光結果より得たＡＥの制御値に基づき、レンズ装置１６の図示しない絞り装置は絞り込みを行い、第１と第２のミラー２，３は撮影光束から待避した位置に移動する（Ｓ１３）。
【００３５】
以下ステップＳ１４からＳ１９はステップＳ２４からＳ３０と同様なので、説明を割愛する。
【００３６】
本実施例によれば、連続画像表示指示装置２１による連続画像表示指示がなされていない場合の撮影時には、ファインダー光学装置１１，１２で被写体を観察しながら、オートフォーカス動作を専用のオートフォーカス装置４にてプレディクション能力や動きの早い被写体にも対応することができ、ファインダー光学装置１１，１２にては被写体が観察不可能なような状態のときには、連続画像表示指示装置２１により連続画像表示指示をすることによって、撮像装置７にて撮像した被写体像を表示装置２０に連続的に表示することができる。
【００３７】
また、連続画像表示指示装置２１により連続画像表示指示がなされている場合の撮影時にも、撮影の指示がされたら、専用のオートフォーカス装置４によるオートフォーカス動作及び測光装置による測光動作をやり直して、撮影を行うので、プレディクション能力や動きの早い被写体にも対応することができる。
【実施例２】
【００３８】
実施例２であるデジタル一眼レフカメラの機構的構成は、実施例１と同様に図１乃至図３に示される通りである。実施例１と異なるところは、連続画像表示が指示されている時の動作である。
【００３９】
実施例２であるデジタル一眼レフカメラの動作（カメラの制御手段であるマイクロコンピュータの動作）を図５のフローチャートに従い説明する。
【００４０】
カメラの電源が投入され、カメラの動作が開始される（Ｓ１０１）と、ステップＳ１０２においてはカメラの連続画像表示指示装置２１により連続画像表示が指示されているがどうかを判断する。連続画像表示指示がなされていないときは、通常のデジタル一眼レフカメラのシーケンスが選択された状態で、ステップＳ１１４に移行する。このときカメラは図１の状態である。
【００４１】
ステップＳ１１４では、図示しないレリーズ装置の撮影準備スイッチＳＷ１がオンしているかどうかを判定し、撮影準備スイッチＳＷ１がオンされるのを待つ。ステップＳ１１４で撮影準備スイッチＳＷ１がオンされると、カメラはＡＥ動作及びＡＦ動作へと移行する（Ｓ１１５）。このときカメラは図１の状態で、レンズ装置１６で集光された光束は第１のミラー２を透過し、第２のミラー３で反射した成分がオートフォーカス装置４に導かれ、オートフォーカス装置４ではレンズ装置１６でのピント状態を検出し、カメラの制御手段はその結果を評価、判定し、オートフォーカス用レンズ群を合焦へ向けて動かす様に指示を出し、合焦状態が確認されたら、ＡＦ動作は終了する。また、このとき、被写体が動体であるときには動体予測制御を行う。この様に、本実施例のデジタル一眼レフカメラにおいては、専用のオートフォーカス装置４にて従来の一眼レフカメラと同様の制御を出来るので、大デフォーカス時や、動体を撮影するときでも、すばやく正確なＡＦ制御が可能である。
【００４２】
このとき、第１のミラー２で反射された光束はピント板９に集光され、ＡＥセンサー１４へもピント板９に集光された光束が導かれる。ＡＥセンサー１４は被写体の光量を測定し、カメラの制御手段はその測定結果を評価し、露出量を決定し、ＡＥ動作を終了する。
【００４３】
以上のＡＦ動作、ＡＥ動作が終了したら、カメラは図示しないレリーズ装置のレリーズスイッチＳＷ２がオンにされるのを待つ（Ｓ１１６）。ステップＳ１１６にて、レリーズスイッチＳＷ２がオンされたら、カメラはレリーズ動作に入り、まず、図示しないレンズ装置１６内の絞り装置を所定の位置へ移動し、また、第１のミラー２、第２のミラー３を撮影光束から退避させる（Ｓ１１７）。第１のミラー２と第２のミラー３の撮影光束からの退避が終了したら、撮像を開始し（Ｓ１１８）、撮像装置７はいつでも撮影できるよう準備を完了する。
【００４４】
次に、シャッタ装置５は先幕５ａを走行させる（Ｓ１１９）ことで、レンズ装置１６で結像した光束の撮像装置７への露光を開始し、ステップＳ１１５にて決定されたＡＥの制御値に基づき所定のタイミングで後幕５ｂを走行させ、露光時間を終了する。シャッタ装置５の走行が終了すると、撮像装置７の撮影は終了する（Ｓ１２０）。
【００４５】
撮影が終了したら、カメラは撮像装置７が上記露光量に基づき光電変換した画像信号を読み出す（Ｓ１２１）。読み出された画像信号は、図示しないカメラの設定状態に応じて画像処理がなされ（Ｓ１２２）、画像処理された信号は図示しない記録装置へと記録される（Ｓ１２３）。
【００４６】
ステップＳ１１４からステップＳ１２３は通常のデジタル一眼レフカメラと同様なシーケンスで、通常はこの様に撮影が行われる。
【００４７】
次に連続画像表示のシーケンスについて説明する。
【００４８】
ステップＳ１０２で連続画像表示が指示されたら、通常撮影シーケンスと同様にオートフォーカス装置４の検出結果とＡＥセンサー１４の測光結果によりカメラの制御手段はＡＦ動作とＡＥ動作を行う（Ｓ１０３）。
【００４９】
ＡＦ動作及びＡＥ動作が終了したら、図示しないレンズ装置１６の絞り装置を絞り込む（Ｓ１０４）。絞り込み動作が終了したら、第１と第２のミラー２，３は撮影光束から退避した位置に移動し、シャッタ装置５の先幕５ａは走行し、アパーチャを開口し（Ｓ１０５）、レンズ装置１６で集光された光が撮像装置７に到達する。
【００５０】
図２はＳ１０５の動作状態を表す。
【００５１】
撮像装置７に撮影光束が到達したら、撮像装置７は連続的に撮像を開始する（Ｓ１０６）。このとき、シャッタ装置５は開放されたままなので、露光時間の制御は撮像装置７の電子シャッタ機能にて行われる。
【００５２】
撮像装置７にて連続的に撮像された被写体像は、順次画像処理をされ、カメラの表示装置２０により表示が行われる（Ｓ１０８）。
【００５３】
すなわち、このとき、表示装置２０はファインダーとしての機能として働き出す。このときファインダー部２２を覗くことが不可能でも、撮影者は表示装置２０に表示される連続的な画像を観察しながら構図を決定したり、撮影するタイミングを計ったりすることが可能となる。
【００５４】
また、ステップＳ１０５で第１、第２のミラー２，３が撮影光束から待避した時点で、オートフォーカス装置４とＡＥセンサー１４には撮影光束が到達していないので、通常のＡＦ動作、ＡＥ動作は不可能となっている。そこで、連続的な画像の表示を開始したら、撮像装置７で撮像された画像を評価し、撮像面でのＡＦ動作、ＡＥ動作を開始する。撮像面でのＡＦ動作、ＡＥ動作については従来よりいろいろな技術が存在するので、ここでは記述しない（Ｓ１０７）。
【００５５】
撮影者は表示装置２０に表示された連続的な画像表示を観察しながら、撮影するタイミングを計り、レリーズスイッチＳＷ２をオンすると（Ｓ１０９）、カメラはそのときの撮像装置７の画像を撮影画像としてキャプチャ（捕捉）し（Ｓ１１０）、撮像装置７からの画像信号の読み出しを開始する（Ｓ１１１）。読み出された画像信号は画像処理をされ（Ｓ１１２）、図示しない記録装置への記録を行う（Ｓ１１３）。
【００５６】
本実施例によれば、連続画像表示指示装置２１による連続画像表示指示がなされていない場合の撮影時には、ファインダー光学装置１１，１２で被写体を観察しながら、オートフォーカス動作を専用のオートフォーカス装置４にてプレディクション能力や動きの早い被写体にも対応することができ、ファインダー光学装置１１，１２にては被写体が観察不可能なような状態のときには、連続画像表示指示装置２１により連続画像表示指示をすることによって、撮像装置７にて撮像した被写体像を表示装置２０に連続的に表示することができる。
【実施例３】
【００５７】
実施例３であるデジタル一眼レフカメラの機構的構成は、実施例１と同様に図１乃至図３に示される通りである。実施例１及び２と異なるところは、連続画像表示が指示された時の動作である。
【００５８】
実施例３であるデジタル一眼レフカメラの動作（カメラの制御手段であるマイクロコンピュータの動作）を図６のフローチャートに従い説明する。
【００５９】
カメラの電源が投入され、カメラの動作が開始される（Ｓ２０１）と、ステップＳ２０２においてはカメラの連続画像表示指示装置２１により連続画像表示が指示されているがどうかを判断する。連続画像表示指示がなされていないときは、通常のデジタル一眼レフカメラのシーケンスが選択された状態で、ステップＳ２１８に移行する。このときカメラは図１の状態である。
【００６０】
ステップＳ２１８では図示しないレリーズ装置の撮影準備スイッチＳＷ１がオンしているかどうかを判定し、撮影準備スイッチＳＷ１がオンされるのを待つ。ステップＳ２１８で撮影準備スイッチＳＷ１がオンされると、カメラはＡＥ動作及びＡＦ動作へと移行する（Ｓ２１９）。このときカメラは図１の状態で、レンズ装置１６で集光された光束は第１のミラー２を透過し、第２のミラー３で反射した成分がオートフォーカス装置４に導かれ、オートフォーカス装置４ではレンズ装置１６でのピント状態を検出し、カメラの制御手段はその結果を評価、判定し、オートフォーカス用レンズ群を合焦へ向けて動かす様に指示を出し、合焦状態が確認されたら、オートフォーカス動作は終了する。また、このとき、被写体が動体であるときには動体予測制御を行う。この様に、本実施例のデジタル一眼レフカメラにおいては、専用のオートフォーカス装置４にて、従来の一眼レフカメラと同様の制御を出来るので、大デフォーカス時や、動体を撮影するときでも、すばやく正確なオートフォーカス制御が可能である。
【００６１】
このとき、第１のミラー２で反射された光束はピント板９に集光され、ＡＥセンサー１４へもピント板９に集光された光束が導かれる。ＡＥセンサー１４は被写体の光量を測定し、カメラの制御手段はその測定結果を評価し、露出量を決定し、ＡＥ動作を終了する。
【００６２】
以上のＡＦ動作、ＡＥ動作が終了したら、カメラは図示しないレリーズ装置のレリーズスイッチＳＷ２がオンにされるのを待つ（Ｓ２２０）。ステップＳ２２０にて、レリーズスイッチＳＷ２がオンされたら、カメラはレリーズ動作に入り、まず、図示しないレンズ装置１６内の絞り装置を所定の位置へ移動し、また、第１のミラー２、第２のミラー３を撮影光束から退避させる（Ｓ２２１）。第１のミラー２と第２のミラー３の撮影光束からの退避が終了したら、撮像を開始し（Ｓ２２２）、撮像装置７はいつでも撮影できるよう準備を完了する。
【００６３】
次に、シャッタ装置５は先幕５ａを走行させる（Ｓ２２３）ことで、レンズ装置１６で結像した光束の撮像装置７への露光を開始し、ステップＳ２１９にて決定されたＡＥの制御値に基づき所定のタイミングで後幕５ｂを走行させ、露光時間を終了する。          
【００６４】
シャッタ装置５の走行が終了すると、撮像装置７の撮影は終了する（Ｓ２２４）。
【００６５】
撮影が終了したら、カメラは撮像装置７が上記露光量に基づき光電変換した画像信号を読み出す（Ｓ２２６）。読み出された画像信号は画像処理がなされ（Ｓ２２７）、画像処理された信号は図示しない記録装置へと記録される（Ｓ２２８）。
【００６６】
ステップＳ２１８からステップＳ２２８は通常のデジタル一眼レフカメラと同様なシーケンスで、通常はこの様にごく一般的なデジタル一眼レフカメラの撮影が行われる。
【００６７】
次に連続画像表示のシーケンスについて説明する。
【００６８】
ステップＳ２０２で連続画像表示が指示されたら、通常撮影シーケンスと同様にオートフォーカス装置４の検出結果とＡＥセンサー１４の測光結果によりカメラの制御手段はＡＦ動作とＡＥ動作を行う（Ｓ２０３）。
【００６９】
ＡＦ動作、ＡＥ動作が終了したら、図示しないレンズ装置１６の絞り装置を絞り込む（Ｓ２０４）。絞り込み動作が終了したら、第１と第２のミラー２，３は撮影光束から退避した位置に移動し、シャッタ装置５の先幕５ａは走行して、アパーチャを開口し（Ｓ２０５）、レンズ装置１６で集光された光束が撮像装置７に到達する。
【００７０】
図２はステップＳ２０５の動作の状態を表す。
【００７１】
撮像装置７に撮影光束が到達したら、撮像装置７は連続的に撮像を開始する（Ｓ２０６）。このとき、シャッタ装置５は開放されたままなので、露光時間の制御は撮像装置７の電子シャッタ機能にて行われる。撮像装置７にて連続的に撮像された被写体像は、順次画像処理をされ、カメラの表示装置２０へと表示が行われる（Ｓ２０８）。
【００７２】
すなわち、このとき、表示装置２０はファインダーとしての機能として働き出す。このときファインダー部２２を覗くことが不可能でも、撮影者は表示装置２０に表示される連続的な画像を観察しながら構図を決定したり、撮影するタイミングを計ったりするたことが可能となる。
【００７３】
また、ステップＳ２０５で第１、第２のミラー２，３が撮影光束から待避した時点で、オートフォーカス装置４とＡＥセンサー１４には撮影光束が到達していないので、通常のＡＦ動作、ＡＥ動作は不可能となっている。そこで、連続的な画像の表示を開始したら、撮像装置７で撮像された画像を評価し、撮像面でのＡＦ動作、ＡＥ動作を開始する。撮像面でのＡＦ動作、ＡＥ動については従来よりいろいろな技術が存在するので、ここでは記述しない（Ｓ２０７）。
【００７４】
撮影者は表示装置２０に表示された連続的な画像表示を観察しながら、撮影するタイミングを計り、レリーズスイッチＳＷ２をオンすると（Ｓ２０９）、まず、シャッタ装置５の後幕５ｂを走行させたのち、第１、第２のミラー２，３を観察位置に復帰させる。また、このとき、シャッタ装置５の再チャージも同時に行っておく（Ｓ２１０）。
【００７５】
このように撮像装置７に撮影光束が当たらない状態になったら、撮像装置７の電荷蓄積部に貯えられた電荷をきれいにクリアする（Ｓ２１１）。電荷をクリアした後、撮像装置７には本撮影まで光線が当たることはないので、本撮影時にはノイズの無いきれいな画像を得ることが可能となる。そして、その後、第１、第２のミラー２，３が撮影光束から待避する。
【００７６】
この後は所定の撮影動作をするが（Ｓ２１２〜Ｓ２１７）、この動作はステップＳ２２２〜Ｓ２２８と同様なので、説明は割愛する。
【００７７】
本実施例によれば、連続画像表示指示装置２１による連続画像表示指示がなされていない場合の撮影時には、ファインダー光学装置１１，１２で被写体を観察しながら、オートフォーカス動作を専用のオートフォーカス装置４にてプレディクション能力や動きの早い被写体にも対応することができ、ファインダー光学装置１１，１２にては被写体が観察不可能なような状態のときには、連続画像表示指示装置２１により連続画像表示指示をすることによって、撮像装置７にて撮像した被写体像を表示装置２０に連続的に表示することができる。
【００７８】
また、連続画像表示指示装置２１により連続画像表示が指示されている場合に、撮影の指示がされたら、第１及び第２のミラー２，３を撮影光束から退避する前の初期位置に復帰させ、シャッタ装置５を遮光状態にした後に、撮像装置７に蓄積された電荷をクリアし、撮像装置７をノイズの無い状態としてから、撮影を行うようにしたので、美しい画像を撮影することができる。
【図面の簡単な説明】
【００７９】
【図１】本発明の実施例であるデジタル一眼レフカメラの要部断面図である。
【図２】本発明の実施例であるデジタル一眼レフカメラの連続画像取り込み状態を示す要部断面図である。
【図３】本発明の実施例であるデジタル一眼レフカメラの背面図である。
【図４】本発明の実施例１であるデジタル一眼レフカメラの動作を示すフローチャートである。
【図５】本発明の実施例２であるデジタル一眼レフカメラの動作を示すフローチャートである。
【図６】本発明の実施例３であるデジタル一眼レフカメラの動作を示すフローチャートである。
【符号の説明】
【００８０】
１    デジタルカメラの本体
２    第１のミラー
３    第２のミラー
４    オートフォーカス装置
５    シャッタ装置
６    ローパスフィルター
７    撮像装置
８    基板装置
９    ピント板
１０  ペンタプリズム
１１，１２  ファインダー光学装置
１３  ＡＥレンズ
１４  ＡＥセンサー
１５  マウント
１６  レンズ装置
２０  表示装置
２１  連続画像表示指示装置
２２  ファインダー部
【図１】
2005175906.tif 000003
【図２】
2005175906.tif 000004
【図３】
2005175906.tif 000005
【図４】
2005175906.tif 000006
【図５】
2005175906.tif 000007
【図６】
2005175906.tif 000008